(57)【特許請求の範囲】
【請求項１】
ワイヤレスキャリアネットワーク（２５）と通信するワイヤレスデバイス（２２）によって第２のネットワーク（２８）におけるインターネットにアクセスするための方法であって、
該方法は、
該ワイヤレスキャリアネットワーク（２５）が該ワイヤレスデバイス（２２）の起動ステータスとして「起動している」及び「起動していない」の一方を記憶するステップと、
第２のネットワーク（２８）のウェブリソースアドレス「ＵＲＬ」へのアクセスの要求を該ワイヤレスデバイス（２２）から該ワイヤレスキャリアネットワーク（２５）へと送信するステップであって、該要求は、該ワイヤレスデバイス（２２）が該ＵＲＬへのアクセスのために起動されているか起動されていないかを判定する前に送信される、ステップと、
該ワイヤレスキャリアネットワーク（２５）において、該ワイヤレスデバイス（２２）から、該第２のネットワーク（２８）の該「ＵＲＬ」へのアクセスの要求を受信するステップと、
該ＵＲＬへのアクセスの要求を受信したことに応答して、該ワイヤレスデバイス（２２）の起動ステータスを該ワイヤレスキャリアネットワーク（２５）において判定するステップと、
該ＵＲＬに関連付けられた該第２のネットワーク（２８）へのワイヤレス接続のために該ワイヤレスデバイス（２２）の起動ステータスが「起動している」である場合には、該第２のネットワーク（２８）の該ＵＲＬへ該ワイヤレスデバイス（２２）を接続するステップと、
該第２のネットワーク（２８）へのワイヤレス接続のために該ワイヤレスデバイス（２２）の起動ステータスが「起動していない」である場合には、
該ワイヤレスキャリアネットワーク（２５）が、通信を該ワイヤレスデバイス（２２）から該ワイヤレスキャリアネットワーク（２５）の認証サーバ（２６）の起動ページに向けるステップと、
該ワイヤレスデバイス（２２）のブラウザ上に該起動ページを開くステップと、
該ワイヤレスデバイス（２２）から、起動情報を、該ワイヤレスキャリアネットワーク（２５）の該認証サーバ（２６）において受信するステップと、
該ワイヤレスキャリアネットワーク（２５）の該認証サーバ（２６）が、該ワイヤレスキャリアネットワーク（２５）を経由する該第２のネットワーク（２８）への接続のために該ワイヤレスデバイス（２２）の起動ステータスを「起動している」に変更するステップと、
該第２のネットワーク（２８）の該ＵＲＬへ該ワイヤレスデバイス（２２）を接続するステップと、
を包含する、方法。
【請求項２】
前記起動するステップは、ｏｖｅｒ ｔｈｅ ａｉｒ ｓｅｒｖｉｃｅ ｐｒｏｖｉｓｉｏｎｉｎｇ（ＯＴＡＳＰ）手順を包含する、請求項１に記載の方法。
【請求項３】
前記ｓｅｒｖｉｃｅ ｐｒｏｖｉｓｉｏｎｉｎｇ手順は、前記ワイヤレスデバイス（２２）のネットワークパラメータを公衆ネットワークパラメータに変更する、請求項２に記載の方法。
【請求項４】
前記起動情報は、ワイヤレスネットワークサービスに対する支払を含む、請求項１に記載の方法。
【請求項５】
前記ワイヤレスデバイス（２２）がホストデバイス（２０）に取り外し可能に接続される、請求項１に記載の方法。
【請求項６】
前記ワイヤレスデバイス（２２）の起動ステータスは、前記ワイヤレスキャリアネットワーク（２５）上の加入者データベースに格納されている、請求項１に記載の方法。
【請求項７】
前記起動ステータスは、前記ワイヤレスデバイス（２２）の電子シリアル番号（ＥＳＮ）と関連付けられている、請求項１に記載の方法。
【請求項８】
前記起動情報を受信するステップは、
前記ワイヤレスデバイス（２２）のブラウザ上に「起動」ページを提供するステップと、
要求情報の入力をユーザに促すステップと、
を含む、請求項１に記載の方法。
【発明の詳細な説明】
【技術分野】
【０００１】
（発明の分野）
本発明は、概して、ワイヤレスインターネット通信に関し、より具体的には、サービスのために、ハンドセットまたはポータブルワイヤレスデバイスを起動するためのシステムおよび方法に関する。
【背景技術】
【０００２】
（発明の背景）
モバイル電話、パーソナルデジタルアシスタンツ（ＰＤＡ）、およびハンドヘルドもしくはポータブルパーソナルコンピュータなどのワイヤレスハンドセットまたはハンドヘルド通信デバイスのユーザは、旅行中あるいは自宅またはオフィスから離れている間に、しばしば情報を調べるため、またはプライベートネットワークにリンクするために、インターネットアクセスを必要とする。ホテル、インターネットカフェなどは、１回ごとの料金で、有線のインターネット接続またはワイヤレスインターネット接続を提供する。
【０００３】
近年、高速セルラネットワークが様々な企業により導入され、自宅またはオフィスから離れているユーザが、月額料金で、いかなる時においても、セルラネットワーク内のいかなる場所においても、インターネットに接続することを可能にする。現在、様々なハンドヘルドデバイスおよびポータブルラップトップコンピュータが、インターネットアクセスのための高速セルラネットワークサービスを提供するために事前に埋め込まれたハードウェアおよびソフトウェアを提供される。既存のデバイスは、高速ワイヤレスアクセスカードまたはＰＣモデムカードを用いる高速ワイヤレスデータアクセスに対して設定され得、これらのカードは、デバイスのユーザによって、購入され得、そして例えば、デバイスのカードスロットを用いてインストールされ得る。このようなワイヤレスモデムカードの１つは、Ｅｖｏｌｕｔｉｏｎ−Ｄａｔａ  Ｏｐｔｉｍｉｚｅｄ（ＥＶＤＯ）パーソナルコンピュータ（ＰＣ）カードであり、例えば、符号分割多重アクセス（ＣＤＭＡ）ＥＶＤＯネットワークを介する使用のためのＫｙｏｃｅｒａ  ＫＰＣ６５０である。ＥＶＤＯ  ＰＣカードは、インストール後、関連付けられたサービスプロバイダからのワイヤレスネットワークサービスに対して起動される。
【０００４】
セルラネットワーク上で高速ワイヤレスネットワークサービスカードを起動するために、現在では、起動プロセスを介してユーザをガイドするインストーラアプリケーションを有するコンパクトディスク（ＣＤ）をユーザに提供する必要がある。上記プロセスは、ｏｖｅｒ  ｔｈｅ  ａｉｒ  ｓｅｒｖｉｃｅ  ｐｒｏｖｉｓｉｏｎｉｎｇ（ＯＴＡＳＰ）、Ｉｎｔｅｒｎｅｔ  ｏｖｅｒ  ｔｈｅ  ａｉｒ（ＩＯＴＡ）または同様の手順を用いて自動的であり得る。あるいは、上記プロセスは、カードを起動するために、ユーザが特定のパラメータ（例えば、カードの電子シリアル番号（ＥＳＮ）およびその他の詳細）を入力する必要がある場合には、手動的であり得る。この起動プロセスは、高速ワイヤレスデータサービスを提供するセルラキャリアと、相手先商標製造会社（ＯＥＭ）（すなわち、ワイヤレスＰＣカードまたはＥＶＤＯ  ＰＣカードあるいはデバイスの製造会社）との間の事前協定を必要とする。技術的な問題、言語の問題、および商標の問題が、それらのネットワークにおいて、デバイスを受容するために、各キャリアのラウンチングの前に、考慮される必要がある。ＯＥＭは、典型的には、各キャリア、オペレーティングシステム、言語および商標のためのアプリケーションをカスタマイズする。それぞれの新しいセルラキャリアによるこのアプリケーションのラウンチングは、カスタムアプリケーションがまず開発され維持されなければならないので、遅延される。
【発明の概要】
【課題を解決するための手段】
【０００５】
（概要）
セルラサービスネットワークを介したワイヤレスインターネット通信のためのハンドセットまたはポータブルデバイスを起動するための強化されたシステムおよび方法が本明細書に開示される。
【０００６】
一実施形態に従って、ワイヤレスサービスのためのハンドセットまたは他のホストデバイスを起動する方法は、セルラネットワークを介してワイヤレスモデムデバイスからウェブリソースアドレス（「ＵＲＬ」）にアクセスするための要求を受信することと、該ワイヤレスモデムデバイスがＵＲＬに関連付けられたネットワークへの接続のために起動されているかどうかを決定することと、ワイヤレスモデムデバイスが起動されていない場合には、該ワイヤレスモデムデバイスからセルラネットワークの認証サーバの起動ページに通信を向けることと、該ワイヤレスモデムデバイスに関連付けられた起動情報を該認証サーバにおいて受信することと、該セルラネットワークを介する該ネットワークへの通信のために、該ワイヤレスモデムデバイスを起動することとを包含する。
【０００７】
ハンドセットまたは他のポータブルデバイスのユーザは、起動ページ上にサインアップ情報（例えば、カードの電子シリアル番号（ＥＳＮ）、ユーザ識別子および請求情報など）をエントリするように促され得る。次いで、認証サーバは、ｏｖｅｒ  ｔｈｅ  ａｉｒ
ｓｅｒｖｉｃｅ  ｐｒｏｖｉｓｉｏｎｉｎｇ（ＯＴＡＳＰ）、Ｉｎｔｅｒｎｅｔ  ｏｖｅｒ  ｔｈｅ  ａｉｒ（ＩＯＴＡ）または類似の起動およびプロビジョニング手順を開始する。起動後、セルラネットワークは、カードを起動しているカードとして認識し、動的ホスト構成プロトコル（ＤＨＣＰ）または類似のメカニズムを介して、ネットワークの全範囲にアクセスするために、ネットワークパラメータを、正規のドメインネームシステム（ＤＮＳ）、インターネットプロトコル（ＩＰ）およびゲートウェイアドレスに変更する。
【０００８】
一実施形態に従って、ワイヤレスネットワークまたはインターネットのためのハンドセットまたは他のポータブル電子デバイスを起動するワイヤレスネットワーク起動システムが提供され、該システムは、第２のネットワークにリンクされたセルラネットワークと、該セルラネットワークを介して該第２のネットワークのウェブリソースアドレス（「ＵＲＬ」）にアクセスするために、起動していないワイヤレスモデムデバイスからの要求を検出するために構成されたセルラネットワーク認証サーバとを備えており、該認証サーバは、任意の検出された起動していないワイヤレスモデムデバイスの起動およびプロビジョニングに対して構成されたプロビジョニングモジュールを有する。
【０００９】
上記認証サーバは、まだ起動されていないワイヤレスモデムデバイスまたはカードによるネットワーク通信試行の受信時に、起動手順を開始するように構成されている。上記ネットワーク起動ステータスは、その特定のワイヤレスモデムデバイスに関連付けられた起動ステータスについて、その加入者データベースをチェックすることによって、セルラキャリアネットワークによって決定され得る。上記認証サーバは、起動ページによって構成され得、該起動ページは、起動していないワイヤレスモデムカードを用いた公衆ネットワーク通信試行を検出すると、ハンドセットまたはポータブルデバイスに送られる。ワイヤレスモデムカードの起動後、該ワイヤレスモデムカードは、キャリアネットワークによって起動しているカードとして認識され、ＤＨＣＰまたは類似のメカニズムを介して公衆ネットワークの全範囲へのアクセスがイネーブルされる。
例えば、本発明は以下の項目を提供する。
（項目１）  
ネットワークへのワイヤレスアクセスのためのワイヤレスモデムデバイスを起動するための方法であって、
該方法は、
セルラネットワークを介して、該ワイヤレスモデムデバイスからウェブリソースアドレス（「ＵＲＬ」）へのアクセスの要求を受信するステップと、
該ワイヤレスモデムデバイスが、該ＵＲＬと関連付けられた第２のネットワークへのワイヤレス接続のために起動されているかどうかを決定するステップと、
該ワイヤレスモデムデバイスが起動されていない場合には、通信を該ワイヤレスモデムデバイスから該セルラネットワークの認証サーバの起動ページに向けるステップと、
該ワイヤレスモデムデバイスに関連付けられた起動情報を受信するステップと、
該セルラネットワークを介して、該第２のネットワークへの接続のために該ワイヤレスモデムデバイスを起動するステップと
を包含する、方法。
（項目２）
上記起動するステップは、ｏｖｅｒ  ｔｈｅ  ａｉｒ  ｓｅｒｖｉｃｅ  ｐｒｏｖｉｓｉｏｎｉｎｇ（ＯＴＡＳＰ）手順を包含する、項目１に記載の方法。
（項目３）
上記ｓｅｒｖｉｃｅ  ｐｒｏｖｉｓｉｏｎｉｎｇ手順は、上記ワイヤレスモデムデバイスのネットワークパラメータを公衆ネットワークパラメータに変更する、項目２に記載の方法。
（項目４）
上記起動情報は、ワイヤレスネットワークサービスに対する支払を含む、項目１に記載の方法。
（項目５）
上記ワイヤレスモデムデバイスをホストデバイスに結合するステップをさらに包含する、項目１に記載の方法。
（項目６）
上記ワイヤレスモデムデバイスが上記ホストデバイスに組み込まれる、項目５に記載の方法。
（項目７）
上記ワイヤレスモデムデバイスが上記ホストデバイスに取り外し可能に接続される、項目５に記載の方法。
（項目８）
上記ワイヤレスモデムデバイスが、上記第２のネットワークへの接続のために起動されているかどうかを決定するステップは、
上記セルラネットワーク上の加入者データベースに格納された、該ワイヤレスモデムデバイスに対する起動ステータスを取得するステップと、
該起動ステータスが「起動している」であるか、または「起動していない」であるかを決定するステップと、
該ワイヤレスモデムデバイスに関連付けられた起動ステータスが「起動している」である場合、該第２のネットワークを介してフルの通信を可能にするステップと、
該ワイヤレスモデムデバイスに関連付けられた起動ステータスが「起動していない」である場合、上記要求を上記認証サーバに向けるステップと
を包含する、項目１に記載の方法。
（項目９）
上記起動するステップは、上記起動が完了したときに、加入者データベース内に格納された、上記ワイヤレスモデムデバイスに対する起動ステータスを「起動している」に変更するステップをさらに包含する、項目１に記載の方法。
（項目１０）
上記起動するステップは、上記ワイヤレスモデムデバイス上に格納された上記ネットワーク起動ステータスを「起動している」に変更するステップをさらに包含する、項目９に記載の方法。
（項目１１）
ネットワークへのワイヤレスアクセスのためのワイヤレスモデムデバイスを起動するシステムであって、該システムは、
第２のネットワークにリンクされたセルラネットワークと、
該セルラネットワークにリンクされた認証サーバと、
該認証サーバに通信可能に結合され、該セルラネットワークに関連付けられた加入者データベースであって、該加入者データベースは複数のワイヤレスモデムデバイスのそれぞれに対する起動ステータスを含み、該ネットワーク起動ステータスは、該第２のネットワークを介する通信に対して起動されている各ワイヤレスモデムデバイスに対する「起動している」ステータスと、該第２のネットワークを介する通信に対して起動されていない各ワイヤレスモデムデバイスに対する「起動していない」ステータスとを備える、加入者データベースと、
該セルラネットワークに関連付けられ、該セルラネットワークを介して該第２のネットワークのウェブリソースアドレス（「ＵＲＬ」）へのアクセスのために、ワイヤレスモデムデバイスからのウェブリソース要求を受信するように構成された通信モジュールであって、該通信モジュールは、要求するワイヤレスモデムデバイスに対する起動ステータスを決定するために該加入者データベースをクエリするように、そして「起動していない」ステータスを有するワイヤレスモデムデバイスから受信された全てのウェブリソース要求を該認証サーバに転送するように構成され、該認証サーバは、該第２のネットワークを介したネットワーク通信をイネーブルするために、起動していないワイヤレスモデムデバイスの起動およびプリビジョニングのために構成されたプリビジョニングモジュールを備えている、通信モジュールと
を備えている、システム。
（項目１２）
上記プロビジョニングモジュールは、上記起動が完了したときに、キャリア加入者データベースにおいて、上記ワイヤレスモデムデバイスの上記起動ステータスを、「起動している」に変更するようにさらに構成される、項目１１に記載のシステム。
（項目１３）
上記プロビジョニングモジュールは、上記起動が完了したときに、上記ワイヤレスモデムデバイスに格納されたネットワーク起動ステータスを、「起動していない」から「起動している」に変更するようにさらに構成される、項目１２に記載のシステム。
（項目１４）
上記プロビジョニングモジュールは、起動ページによって構成され、上記起動していないワイヤレスモデムデバイスからの上記第２ネットワークのＵＲＬにアクセスするための要求の検出時に、上記ワイヤレスモデムデバイスが該起動ページに向けられる、項目１１に記載のシステム。
（項目１５）
ワイヤレスモデムデバイスであって、
プロセッサに結合され、該ワイヤレスモデムデバイスに対する固有識別番号および現在の起動ステータスを含むデータストレージモジュールであって、該起動ステータスは、第２のネットワークを介する通信に対して「起動している」および「起動していない」からなる群から選択される、データストレージモジュールと、
セルラネットワークを介する第２のネットワークへのネットワーク通信を確立するために構成されたネットワーク通信モジュールを有するプロセッサであって、該プロセッサは、セルラキャリア認証サーバによって実行される起動およびプロビジョニング手順の完了時に、該データストレージモジュールにおいてネットワーク起動ステータスを「起動していない」から「起動している」に変更するように構成される、プロセッサと
を備えている、ワイヤレスモデムデバイス。
【００１０】
本発明のその他の特徴および利点は、以下の詳細な説明および添付の図面を吟味した後で、当業者にとってより容易に明らかとなる。
【図面の簡単な説明】
【００１１】
本発明の詳細は、その構造および動作の両方に関して、添付の図面の調査によって部分的に収集され得る。図面において、同様の参照数字は同様の部品をいう。
【図１】図１は、本発明の例示的な実施形態に従う、ハンドセットまたはホストデバイスのためのワイヤレスネットワーク起動システムの例を示すブロック図である。
【図２】図２は、本発明の例示的な実施形態に従う、ハンドセットまたはホストデバイスに結合された例示的なワイヤレスモデムデバイスを示すブロック図である。
【図３】図３は、図１のシステムを用いる例示的な起動方法のフロー図である。
【図４】図４は、本明細書に記載される様々な実施形態と関連して用いられ得る例示的なワイヤレス通信デバイスを示すブロック図である。
【発明を実施するための形態】
【００１２】
（詳細な説明）
本明細書に開示される特定の実施形態は、インターネットなどの公衆ネットワークへのアクセスを提供するために、ハンドセットまたは他のワイヤレスデバイスにインストールされたワイヤレスモデムカードまたは同様のデバイスを起動するための起動システムおよび方法を提供する。例えば、本明細書に開示される１つの方法は、符号分割多重アクセス（ＣＤＭＡ）ネットワーク上でのＥｖｏｌｕｔｉｏｎ−Ｄａｔａ  Ｏｐｔｉｍｉｚｅｄ（ＥＶＤＯ）ＰＣカードの機能を考慮する。
【００１３】
この説明を読んだ後、本発明を様々な代替的実施形態および代替的用途にどのように実装するかが、当業者にとって明らかになる。しかし、本発明の様々な実施形態が本明細書に記載されているが、これらの実施形態は例示のみのために提示され、限定のためには提示されない。そのようなものとして、様々な代替的実施形態のこの詳細な説明は、添付の特許請求の範囲において記載されるような本発明の範囲または外延を限定するように解釈されるべきではない。
【００１４】
図１の実施形態において、起動システムは、ＥＶＤＯまたはアクセスターミナル（ＡＴ）のようなワイヤレスモデムデバイス２２を有するハンドセットまたはホストデバイス２０と、ネットワークアクセスポイントまたは基地局２４と、セルラキャリアネットワーク２５と、該セルラキャリアの認証サーバ２６と、様々なウェブサーバ３０と接続されるインターネットのような第２のネットワーク２８とを備える。
【００１５】
ホストデバイスまたはハンドセット２０は、セル電話、パーソナルデジタルアシスタント（「ＰＤＡ」）、ラップトップコンピュータ、ハンドヘルドコンピュータ、また任意のこれらの組み合わせ、およびユーザがユーザの自宅または仕事場から離れているときに、ワイヤレス音声およびデータ通信目的のために、ユーザによって保持される、任意の種々のポータブルワイヤレス通信デバイスであり得る。汎用目的ワイヤレスデバイスの例が、後に図４に関して記載される。ホストデバイス２０は、本明細書において、ハンドセット、ワイヤレスデバイス、モバイルデバイス、デバイス、ワイヤレスユニット、モバイルユニットまたはアクセスターミナル（ＡＴ）と称され得る。
【００１６】
図１の実施形態において、ＥＶＤＯ  ＰＣカードのようなワイヤレスモデムデバイスまたはＡＴ２２はハンドセット２０にインストールされる。このようなデバイスは、ＣＤＭＡネットワークのようなセルラキャリアネットワーク２５と関連した使用のためにユーザによって購入され得、公衆ネットワークを介した高速ワイヤレスネットワーク通信を可能にする。この実施形態において、ネットワーク２５はＣＤＭＡ（ＥＶＤＯ）ネットワークである。
【００１７】
図２は、ハンドセット２０に結合された、本発明の例示的な実施形態に従う、ワイヤレスモデムカード２２のブロック図であり、ハンドセット２０は示されるようなセルラ電話であるか、または他のホストデバイスである。ワイヤレスモデムデバイスは、ハンドセット２０に提供されるカードスロットなどに取り外し可能にインストールされるカードであり得るか、または製造時にハンドセット２０に元々組み込まれ得ることが理解され得る。
【００１８】
図１および２を参照すると、カードまたはネットワークアクセスターミナル２２は、ワイヤレス通信デバイス２０を経由しキャリアネットワーク２５を介する第２のネットワーク２８との通信を確立するように構成されたプロセッサモジュール６０と、プロセッサモジュール６０に接続されたデータストレージモジュール６２と、該プロセッサモジュール６０をホストデバイス２０に接続するように構成されたモバイル電話またはホストデバイスインタフェースモジュール６４とを備えており、示されている例では、ホストデバイス２０は、モバイル電話である。ワイヤレスモデムカード２２は、データストレージモジュール６２に格納された、関連する固有識別番号または電子シリアル番号（ＥＳＮ）と、該カードに関連付けられた格納されたネットワーク起動ステータスとを有する。最初、格納された起動ステータスは「起動していない」であり、これは、起動が必要とされるということがカードのインストールの際に加入者または購入者に伝わり、特定の実施形態においては、ネットワークにクエリすることなしに伝わる。データストレージモジュールはまた、セキュリティの目的でその他の認証キーを含み得る。これらのＥＳＮおよびキーは、カード製造業者によって組み込まれ（ｐｏｐｕｌａｔｅｄ）得、ＥＳＮおよびキーのファイルはまた製造業者によってセキュアな手段を経由してキャリアに送られる。上記キャリアはこの情報をセキュアな加入者データベースに格納し、それゆえ、該キャリアがそのネットワーク上で許可する全てのカードに対する識別情報のセキュアな加入者データベースを有する。カードを起動する試行は、加入者がサービスを購入し、そして電話番号および他のサービスプロビジョニングアイテムを必要としていることを暗示する。起動ステータスは、典型的にはＥＳＮによって入力され（ｋｅｙｅｄ）、常にキャリアの加入者データベース内に格納される。
【００１９】
ワイヤレスモデムカード２２のプロセッサモジュール６０は、セルラコールが行われた時、または第２のネットワークへのアクセスの要求がなされた時にはいつも、識別情報をセルラタワーステーションまたはアクセスポイントに自動的に送信するように構成されている。実際のＥＳＮは、通常、無線では送信されないが、代わりに業界で標準的な技術が、ＥＳＮを直接的に送信することなしにセルラネットワークにおいてカードをセキュアに識別するために用いられる。
【００２０】
この実施形態において、加入者データベースに格納された起動ステータスは、キャリアネットワーク２５のコンポーネントとして第２のネットワークまたはインターネット起動ステータスを含む。カードがまだ起動されていない場合には、そのカードに対する、加入者データベースに格納されたネットワーク起動ステータスは「起動していない」である。
【００２１】
図３は、本発明の一実施形態における図１のシステム内の図２のワイヤレスモデムカード２２を起動するための方法を示す。上記カード２２は、最初は起動していない状態にあり、この状態は、カードが、キャリアネットワーク２５と接続するが、（セル電話が、サービスなしで、キャリアネットワークと「通信」するが、いかなる発信または着信も不可能であるということと同一の方法で）インターネットと直接的に通信（ｔａｌｋ）しない、すなわち、インターネットまたは公衆ネットワーク２８を介してデータを送受信できない、ように工場で準備されている（ｆａｃｔｏｒｙ  ｐｒｏｖｉｓｉｏｎｅｄ）ことを意味する。この起動していない状態は、加入者データベース内のカードに対するネットワーク起動ステータスをチェックすることによって、ネットワークバックエンドまたは基地局２４が、カードが起動していないと認識する場合に、起動していないプロフィールにＩＰネットワークパラメータを割り当てる動的ホスト構成プロトコル（ＤＨＣＰ）または類似のメカニズムによって提供される。起動していないプロフィールは、ＤＮＳ情報が常に、キャリア認証サーバ２６において起動ページを指示し、起動サービスの境界の外側の通信を考慮しない方法で構成される。
【００２２】
図３において、セルラネットワークまたはキャリアネットワークは、第２のネットワーク（インターネットであり得る）のウェブリソースアドレスまたはＵＲＬにアクセスするために、ワイヤレスモデムデバイスまたはアクセスターミナルから要求を受信する（ステップ４２）。基地局またはアクセスポイント２４（または他のネットワークデバイス）は、最初に、モデムカード２２が起動しているかどうかを決定する（ステップ４４）。一実施形態において、カード２２の起動ステータスは、（例えば、ＥＳＮによって）カードを識別することと、該カードに関連付けられたステータスについて加入者データベースをチェックすることとによって、ネットワークによって決定される。第２のネットワークに対するカードのＥＳＮに関連付けられたカードのステータスが、上記カード２２が既に、例えば、インターネットのような第２のネットワークを介する通信に対して起動されていることを示す、「起動している」である場合には、ネットワーク２５はネットワーク２８を介する通信を可能にし、ユーザは、要求したＵＲＬに接続される（ステップ４５）。第２のネットワークに対するカードのＥＳＮに関連付けられたカードのステータスが「起動していない」である場合には、ハンドセットは、ネットワーク２５に介して、キャリアの認証サーバに向けられる（ステップ４６）。
【００２３】
ハンドセットが、認証サーバにおいてネットワークアプリケーションに向けられ、該ネットワークアプリケーションは、ユーザのネットワークブラウザ上に「起動ページ」を提供する（ステップ４８）。これは、ユーザに、起動ページ上に任意の要求された情報（例えば、セルラキャリアによって決定されるような、識別、ハンドセットまたはカードの電子シリアル番号（ＥＳＮ）など）をエントリするように促す（ステップ５０）。次いで、認証サーバ２６は、ネットワーク起動手順を実行し（ステップ５２）、キャリアネットワーク２５を介するインターネットへのワイヤレスアクセスのためにハンドセットまたはカードを起動する（ステップ５４）。キャリア認証サーバは、接続されるターミナルまたはＰＣカード２２のパラメータを用い、起動ページが充分であることを確認した後、ｏｖｅｒ  ｔｈｅ  ａｉｒ  ｓｅｒｖｉｃｅ  ｐｒｏｖｉｓｉｏｎｉｎｇ（ＯＴＡＳＰ）または類似の起動およびプロビジョニング手順を開始して、カードを起動する。この手順が完了した後、ネットワーク加入者データベースにおけるカードに関連付けられたＥＳＮのステータスは「起動している」に変更され、ネットワークは、カードを起動しているカードであると認識する。これは、ネットワークパラメータを、正規なドメインネームシステム（ＤＮＳ）、インターネットプロトコル（ＩＰ）およびゲートウェイアドレスに変換し、これらは、動的ホスト構成プロトコル（ＤＨＣＰ）または類似のメカニズムを介して、ネットワーク全体へのアクセスを可能にする（ステップ５５）。同時に、カード２２に格納された起動ステータスが「起動している」に変更される。
【００２４】
図１〜３の実施形態において、起動アプリケーションが開発され、認証サーバにおいてキャリアによって提供される。キャリアは、起動プロセスまたは「起動ページ」を決定し得る。上記カードは、全てのＰＣプラットフォーム、例えば、Ｗｉｎｄｏｗｓ（登録商標）、Ｍａｃ−ＯＳ、Ｌｉｎｕｘ（登録商標）などと共に用いられ得、ブラウザをサポートしている限りカードに修正を与えない。ユーザがカードを購入し、インストールするまで、キャリアの相互作用は必要とされず、この時点で、該カードがネットワーク加入者データベースにおいて「起動していない」ステータスと関連付けられていることが決定される場合には、ユーザはネットワークによってキャリアの認証サーバに自動的に向けられる。次いで、認証サーバがそのキャリアのワイヤレスインターネットサービスに対して適切な起動を実行する。
【００２５】
セルラキャリアネットワークを介する使用のためにワイヤレスモデムカードを起動するためのこのシステムおよび方法はカスタマにとってより簡単である。なぜなら、カスタマがいかなるソフトウェアもインストールする必要がなく、起動プロセスがユーザのハンドセット上でウェブブラウザをラウンチングすることによって、単純に自動的に開始されるからである。またキャリアにとってもより簡単である。なぜなら、それらのワイヤレスインターネットサービスのためのカスタマに誰かがサインアップする必要がないからである。代わりに、キャリアネットワークは、接続しているワイヤレスモデムカードについて、加入者データベースをチェックすることによって、起動ステータスを決定し、任意の起動していないカードをキャリアの認証サーバに向け、次いで認証サーバがサービスプロビジョニング手順を開始し、ブラウザ上に開いている起動ページ上で、カスタマから任意の必要な情報を取得する。
【００２６】
図１〜３のシステムおよび方法は、ＥＶＤＯカードなどのモデムカードが購入され、その後コンピュータ、セル電話、ＰＤＡなどにインストールされる状況に主に適用される。しかしながら、同一の起動方法が、ワイヤレスインターネットアクセスのためにインストール済みのワイヤレスモデムカードを有して最初に製造されるハンドセットおよび他のポータブルワイヤレスデバイスに対して用いられ得る。
【００２７】
図４は、本明細書に開示される様々な実施形態と関連させて使用され得る例示的なワイヤレス通信デバイス４５０を示すブロック図である。例えば、ワイヤレス通信デバイス４５０は、図１〜３と関連して上記されたハンドセットと関連して使用され得る。類似のワイヤレス通信デバイスが、図１〜３と関連して上記された認証サーバと関連して使用され得る。しかし、他のワイヤレス通信デバイスおよび／またはアーキテクチャもまた使用され得る。
【００２８】
示される実施形態において、ワイヤレス通信デバイス４５０は、アンテナシステム４５５と、無線システム４６０と、ベースバンドシステム４６５と、スピーカ４７０と、マイクロホン４８０と、中央演算処理装置（「ＣＰＵ」）４８５と、データストレージエリア４９０と、ハードウェアインタフェース４９５とを備えている。ワイヤレス通信デバイス４５０において、無線周波数（「ＲＦ」）信号は、無線システム４６０の管理下でアンテナシステム４５５によって無線を介して送受信される。
【００２９】
一実施形態において、アンテナシステム４５５は１つ以上のアンテナと１つ以上のマルチプレクサ（図示せず）とを備え得、該マルチプレクサはアンテナシステム４５５に送受信信号経路を提供するためにスイッチング機能を実行する。受信経路において、受信されたＲＦ信号は、マルチプレクサから低ノイズ増幅器（図示せず）に結合され得、該低ノイズ増幅器は、受信されたＲＦ信号を増幅し、該増幅された信号を無線システム４６０に送る。
【００３０】
代替的実施形態において、無線システム４６０は、様々な周波数を介して通信するように構成された１つ以上の無線を備え得る。一実施形態において、無線システム４６０は、復調器（図示せず）と変調器（図示せず）とを１つの集積回路（「ＩＣ」）に組み合わせ得る。復調器と変調器とはまた、別個のコンポーネントであり得る。入ってくる経路において、復調器は、ＲＦキャリア信号を取り除き、ベースバンド受信オーディオ信号が残り、ベースバンド受信オーディオ信号は無線システム４６０からベースバンドシステム４６５に送られる。
【００３１】
受信された信号がオーディオ信号を含んでいる場合には、ベースバンドシステム４６５が信号をデコードし、該信号をアナログ信号に変換する。次いで、信号は増幅され、スピーカ４７０に送られる。ベースバンドシステム４６５はまた、マイクロホン４８０からアナログオーディオ信号を受信する。これらのアナログオーディオ信号は、ベースバンドシステム４６５によってデジタル信号に変換され、エンコードされる。ベースバンドシステム４６５はまた、送信のためにデジタル信号をコード化し、無線システム４６０の変調器部分にルーティングされるベースバンド送信オーディオ信号を生成する。変調器は、ベースバンド送信オーディオ信号をＲＦキャリア信号と混合して、ＲＦ送信信号を生成し、該ＲＦ送信信号はアンテナシステムにルーティングされ、電力増幅器（図示せず）を通過し得る。該電力増幅器は、ＲＦ送信信号を増幅して、該増幅されたＲＦ送信信号をアンテナ４５５にルーティングし、ここで信号が送信のためのアンテナポートにスイッチされる。
【００３２】
ベースバンドシステム４６５はまた、中央演算処理装置４８５と通信可能に結合される。中央演算処理装置４８５は、データストレージエリア４９０へのアクセスを有する。中央演算処理装置４８５は、好適にはデータストレージエリア４９０に格納され得る命令（すなわちコンピュータプログラムまたはソフトウェア）を実行するように構成される。コンピュータプログラムはまた、ベースバンドプロセッサ４６５から受信され得、データストレージエリア４９０に格納され得るか、または受信時に実行され得る。このようなコンピュータプログラムは、実行されるとき、ワイヤレス通信デバイス４５０が、前述のようなハンドセットの様々な機能を実行することが可能である。
【００３３】
この説明において、用語「コンピュータ読み取り可能媒体」が、実行可能な命令（例えば、ソフトウェアおよびコンピュータプログラム）を、中央演算処理装置４８５による実行のためにワイヤレス通信デバイス４５０に提供するために使用される任意の媒体をいうために使用される。これらの媒体の例は、データストレージエリア４９０と、（ベースバンドシステム４６５を経由する）マイクロホン４８０と、（同様にベースバンドシステム４６５を経由する）アンテナシステム４５５と、ハードウェアインタフェース４９５とを含む。これらのコンピュータ読み取り可能媒体は、実行可能なコードと、プログラミング命令と、ソフトウェアとをワイヤレス通信デバイス４５０に提供するための手段である。中央演算処理装置４８５によって実行されると、実行可能なコード、プログラミング命令と、ソフトウェアとは、好適には、中央演算処理装置４８５に、本明細書において前述されたハンドセットの特徴および機能を実行させる。
【００３４】
中央演算処理装置４８５はまた、好適には、新たなデバイスがハードウェアインタフェースによって検出されるとき、ハードウェアインタフェース４９５から通知を受信するように構成される。ハードウェアインタフェース４９５は、電気機械的検出器と、ＣＰＵ４８５と通信し、新たなデバイスと相互作用する制御ソフトウェアとの組み合わせであり得る。ハードウェアインタフェース４９５は、ファイアポート、ＵＳＢポート、Ｂｌｕｅｔｏｏｔｈ（登録商標）または赤外ワイヤレスユニット、あるいは任意の種々の有線またはワイヤレスアクセスメカニズムであり得る。デバイス４５０とリンクされ得るハードウェアの例は、データストレージデバイス、コンピュータデバイス、ヘッドホン、マイクロホンなどを含む。
【００３５】
様々な実施形態がまた、例えば、特定用途向け集積回路（「（１つまたは複数の）ＡＳＩＣ」）またはフィールドプログラマブルゲートアレイ（「（１つまたは複数の）ＦＰＧＡ」）のようなコンポーネントを用いてハードウェアに主に実装され得る。本明細書に記載される機能を行うことが可能なハードウェアステートマシンの実装はまた、当業者に明らかである。様々な実施形態はまた、ハードウェアおよびソフトウェアの両方を用いて実装され得る。
【００３６】
さらに、当業者は、上述の図面および本明細書に開示された実施形態と関連されて記載される、様々な例示的な論理ブロック、モジュール、回路および方法ステップが、しばしば、電子ハードウェア、コンピュータソフトウェア、またはこれら両方の組み合わせとして実装され得るということを理解する。このハードウェアとソフトウェアとの相互交換性を明確に例示するために、様々な例示的コンポーネント、ブロック、モジュールおよびステップが、これらの機能性に関して概略的に上記されてきた。このような機能性がハードウェアまたはソフトウェアのいずれとして実装されるかは、システム全体に課される特定の用途および設計制約に依存する。当業者は、各特定の用途に対して様々な方法で記載された機能性を実装し得るが、このような実装の決定は、本発明の範囲からの逸脱を引き起こすものとして解釈されるべきではない。さらに、モジュール、ブロック、回路またはステップ内の機能のグループ分けは、記載を簡単にするために行われる。特定の機能またはステップが、本発明から逸脱することなしに、１つのモジュール、ブロックまたは回路から別のモジュール、ブロックまたは回路に移され得る。
【００３７】
さらに、本明細書に開示された実施形態と関連して記載された、様々な例示的論理ブロック、モジュールおよび方法は、本明細書に記載される機能を行うように設計された、汎用目的のプロセッサ、デジタル信号プロセッサ（「ＤＳＰ」）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別のハードウェアコンポーネント、あるいはこれらの組み合わせによって、実装され得るか、または行われ得る。汎用目的プロセッサはマイクロプロセッサであり得るが、代替的には、該プロセッサは、任意のプロセッサ、コントローラ、マイクロコントローラまたはステートマシンであり得る。プロセッサは、また、コンピューティングデバイスの組み合わせとして実装され得、例えば、ＤＳＰおよびマイクロプロセッサ、複数のマイクロプロセッサ、ＤＳＰコアと結合した１つ以上のマイクロプロセッサ、または任意の他のこのような構成の組み合わせであり得る。
【００３８】
さらに、本明細書に開示された実施形態と関連して記載される方法またはアルゴリズムのステップは、ハードウェアに直接的に、プロセッサによって実行されるソフトウェアに、またはこの２つの組み合わせにおいて具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、またはネットワークストレージ媒体を含む任意の他の形態のストレージ媒体に存在し得る。ストレージ媒体から情報を読み取り得、そしてストレージ媒体に情報を書き込み得るように、例示的なストレージ媒体は、プロセッサに結合され得る。代替的に、上記ストレージ媒体は、プロセッサに組み込まれ得る。プロセッサおよびストレージ媒体はまた、ＡＳＩＣに存在し得る。
【００３９】
開示される実施形態の上記の記載は、当業者が本発明を構成するかまたは使用することを可能にするために提供される。これらの実施形態に対する様々な修正が当業者には容易に明らかになり、本明細書に開示された概略的な原理は、本発明の精神または範囲から逸脱することなしに、他の実施形態に適用され得る。従って、本明細書に提示された記載および図面は、本発明の現在好適な実施形態を表し、それゆえ、本発明によって広く企図される主題の代表であることが理解されるべきである。本発明の範囲は、当業者に明白になり得る他の実施形態を完全に包含することと、従って本発明の範囲が添付の特許請求の範囲を除いては制限されないこととが、さらに理解される。
【図１】
0005422691.tif 000002
【図２】
0005422691.tif 000003
【図３】
0005422691.tif 000004
【図４】
0005422691.tif 000005